(57)【要約】【課題】手元にある観察対象物を拡大視するルーペとして使用することができるとともに、観察対象物の厚さに応じて該ルーペのピント調整が可能な双眼鏡を提供すること。【解決手段】本発明の双眼鏡１Ａは、一対の観察光学系２Ｌ、２Ｒの間に設けられた近距離観察用のルーペ光学系７を備える。ルーペ光学系７は、観察光学系２Ｌ、２Ｒのピントを調整する際に回転操作するピントリング３と同心的に配置されている。観察光学系２Ｌ、２Ｒの接眼側には、光軸Ｏ１、Ｏ２方向に変位可能な目当て部材４Ｌ、４Ｒが設置されている。ルーペ光学系７は、目当て部材４Ｌ、４Ｒを下にした姿勢で双眼鏡１Ａを置いた状態で使用可能である。ルーペ光学系７を用いて観察する際、目当て部材４Ｌ、４Ｒは、それらの位置を調整してルーペ光学系７の高さを調整することによりルーペ光学系７のピントを調整するピント調整手段として機能する。【選択図】図４
2005017760.tif 000002
【特許請求の範囲】
【請求項１】
一対の観察光学系を備えた双眼鏡であって、
前記一対の観察光学系の間に設けられた近距離観察用のルーペ光学系と、
前記ルーペ光学系のピントを調整するピント調整手段とを備えることを特徴とする双眼鏡。
【請求項２】
前記一対の観察光学系のピントを調整する際に操作するピントリングを備え、前記ルーペ光学系は、前記ピントリングと同心的に配置されている請求項１に記載の双眼鏡。
【請求項３】
前記各観察光学系の接眼側に設置され、光軸方向に変位可能な目当て部材を備え、
前記ルーペ光学系は、前記目当て部材を下にした姿勢で当該双眼鏡を置いた状態で使用可能であり、
前記ルーペ光学系を用いて観察する際、一対の前記目当て部材は、それらの位置を調整して前記ルーペ光学系の高さを調整することにより前記ルーペ光学系のピントを調整するピント調整手段として機能する請求項１または２に記載の双眼鏡。
【請求項４】
前記一対の目当て部材を連動して光軸方向に変位させる目当て連動機構を備える請求項３に記載の双眼鏡。
【請求項５】
前記目当て連動機構は、前記ルーペ光学系と同心的に配置されるとともに軸方向に移動可能に設けられた円環状のリング部材と、該リング部材と前記各目当て部材とを連結する連結部材とを有し、前記リング部材を軸方向に移動させることにより、前記一対の目当て部材が共に変位するように構成されたものである請求項４に記載の双眼鏡。
【請求項６】
前記一対の目当て部材の移動に対するクリックストップ機構を備える請求項４または５に記載の双眼鏡。
【請求項７】
前記目当て連動機構は、前記リング部材を軸方向に移動させる送りねじ機構をさらに有する請求項５に記載の双眼鏡。
【請求項８】
前記送りねじ機構は、前記リング部材と同心的にかつ回転可能に設置された円環状の操作部材と、前記操作部材と一体となって回転する送りねじ軸と、前記リング部材に設けられ、前記送りねじ軸と螺合するナット部とを有する請求項７に記載の双眼鏡。
【請求項９】
前記ルーペ光学系の物体焦点は、前記目当て部材の端面の可動範囲と概ね同じ位置にある請求項３ないし８のいずれかに記載の双眼鏡。
【請求項１０】
前記一対の観察光学系のピントを調整する際に回転操作するピントリングを備え、
前記ピント調整手段は、前記ピントリングの回転運動を前記ルーペ光学系の光軸方向の移動に変換する運動変換機構で構成される請求項１または２に記載の双眼鏡。
【請求項１１】
前記ピントリングの回転運動を前記一対の観察光学系のピントを調整するための運動に変換する第１の状態と、前記ピントリングの回転運動を前記ルーペ光学系の光軸方向の移動に変換する第２の状態とに切り替える切替機構を備える請求項１０に記載の双眼鏡。
【請求項１２】
前記切替機構は、前記ピントリングに設けられたピントリング側スプライン歯と、前記一対の観察光学系のピントを調整するピント調整機構の一部を構成するとともに前記ピントリングと同心的に回転可能に設置された第１の円筒部材に設けられた第１のスプライン歯と、前記運動変換機構の一部を構成するとともに前記ピントリングと同心的に回転可能に設置された第２の円筒部材に設けられた第２のスプライン歯とで構成され、前記ピントリングを軸方向に移動操作して前記ピントリング側スプライン歯を前記第１のスプライン歯および前記第２のスプライン歯の一方に選択的に噛み合わせることにより、前記第１の状態と前記第２の状態とに切り替えるように構成されている請求項１１に記載の双眼鏡。
【請求項１３】
前記ピントリング側スプライン歯、前記第１のスプライン歯および前記第２のスプライン歯のうちの少なくとも１つに、噛み合わせを切り替える際に相手方の歯を案内する案内面が設けられている請求項１２に記載の双眼鏡。
【請求項１４】
前記ルーペ光学系を用いて観察する際、前記一対の観察光学系の対物側を下にして当該双眼鏡を置いて使用可能である請求項１０ないし１３のいずれかに記載の双眼鏡。
【請求項１５】
前記ピント調整手段は、前記ルーペ光学系の物体焦点の位置を、前記一対の観察光学系の対物側における当該双眼鏡の端面の位置に近い範囲で調整可能である請求項１４に記載の双眼鏡。
【発明の詳細な説明】
【０００１】
【発明の属する技術分野】
本発明は、双眼鏡に関する。
【０００２】
【従来の技術】
双眼鏡とルーペは、対象物を拡大して観察する光学機器である点で同じであるが、言うまでもなく、双眼鏡では手元（至近距離）のものを観察することはできず、ルーペでは遠くのものを観察することはできない。よって、例えば野外観察などをする際には、双眼鏡とルーペの両方を携帯しなければならないことがあり、煩わしい。
【０００３】
この問題に鑑み、下記特許文献１には、ルーペ機能付きの双眼鏡が提案されている。特許文献１に開示された双眼鏡は、左右の光学系に共用する１つの対物レンズが設置された双眼鏡本体を有するとともに、この双眼鏡本体に貫通孔が形成されている。この双眼鏡をルーペとして使用する場合には、接眼レンズ側を下にしてこの双眼鏡を置き、前記貫通孔から前記対物レンズを介して観察対象物を覗く。そうすると、前記対物レンズがルーペとして機能し、観察対象物を拡大視することができる（特許文献１の図１参照）。
【０００４】
しかしながら、特許文献１に開示された双眼鏡では、ルーペとして使用する場合のピント調整機構がないため、観察対象物の厚さによっては双眼鏡を置いたままではピントが合わない場合がある。この場合には、ピントを合わせるために双眼鏡を把持して持ち上げた状態で観察対象物との距離を調節しながら観察せねばならず、観察がしづらいという問題がある。
【０００５】
また、特許文献１に開示された双眼鏡では、大径の対物レンズを使用しなければならないので、双眼鏡の大型化を招来するという問題もある。
【０００６】
【特許文献１】
実公平５−２１０５３号公報
【０００７】
【発明が解決しようとする課題】
本発明の目的は、手元にある観察対象物を拡大視するルーペとして使用することができるとともに、観察対象物の厚さに応じて該ルーペのピント調整が可能な双眼鏡を提供することにある。
【０００８】
【課題を解決するための手段】
このような目的は、下記（１）〜（１５）の本発明により達成される。
【０００９】
（１）  一対の観察光学系を備えた双眼鏡であって、
前記一対の観察光学系の間に設けられた近距離観察用のルーペ光学系と、
前記ルーペ光学系のピントを調整するピント調整手段とを備えることを特徴とする双眼鏡。
【００１０】
これにより、手元にある観察対象物を拡大視するルーペとして使用することができるとともに観察対象物の厚さに応じて該ルーペのピント調整が可能な双眼鏡を提供することができる。また、ルーペ光学系を一対の観察光学系の間に配置したことにより、双眼鏡のサイズの大型化を招来することなく上記効果を達成することができる。
【００１１】
（２）  前記一対の観察光学系のピントを調整する際に操作するピントリングを備え、前記ルーペ光学系は、前記ピントリングと同心的に配置されている上記（１）に記載の双眼鏡。
【００１２】
これにより、さらに省スペースでルーペ光学系を配置することができ、全体のサイズを通常の双眼鏡に遜色なく小型化することができる
【００１３】
（３）  前記各観察光学系の接眼側に設置され、光軸方向に変位可能な目当て部材を備え、
前記ルーペ光学系は、前記目当て部材を下にした姿勢で当該双眼鏡を置いた状態で使用可能であり、
前記ルーペ光学系を用いて観察する際、一対の前記目当て部材は、それらの位置を調整して前記ルーペ光学系の高さを調整することにより前記ルーペ光学系のピントを調整するピント調整手段として機能する上記（１）または（２）に記載の双眼鏡。
【００１４】
これにより、目当て部材をルーペ光学系のピント調整手段として用いるので、機構・部材等を増やすことなしに、ルーペ光学系のピント調整機能が得られる。
【００１５】
（４）  前記一対の目当て部材を連動して光軸方向に変位させる目当て連動機構を備える上記（３）に記載の双眼鏡。
【００１６】
これにより、目当て部材の位置を調整する際、左右を別々に調整する必要がなく、一度に両方の調整を行うことができるので、便利である。また、一対の目当て部材の位置が揃った状態が常に維持されるので、両方の位置をきっちりと揃える煩わしさがない。このようなことから、目当て部材の位置調整を容易かつ迅速に行うことができる。
【００１７】
（５）  前記目当て連動機構は、前記ルーペ光学系と同心的に配置されるとともに軸方向に移動可能に設けられた円環状のリング部材と、該リング部材と前記各目当て部材とを連結する連結部材とを有し、前記リング部材を軸方向に移動させることにより、前記一対の目当て部材が共に変位するように構成されたものである上記（４）に記載の双眼鏡。
【００１８】
これにより、目当て連動機構を少ないスペースで設けることができるので、双眼鏡のサイズが大型化するのを防止することができる。
【００１９】
（６）  前記一対の目当て部材の移動に対するクリックストップ機構を備える上記（４）または（５）に記載の双眼鏡。
【００２０】
これにより、目当て部材の位置調整を行う際、クリック感（節度感）が得られるので、調整操作がし易く、希望の位置に容易に位置決めすることができる。
【００２１】
（７）  前記目当て連動機構は、前記リング部材を軸方向に移動させる送りねじ機構をさらに有する上記（５）に記載の双眼鏡。
【００２２】
これにより、目当て部材の位置調整をより精密に、かつ軽い操作力で行うことができるので、ルーペ光学系を用いて観察する際、そのピント調整をより正確かつ容易に行うことができる。
【００２３】
（８）  前記送りねじ機構は、前記リング部材と同心的にかつ回転可能に設置された円環状の操作部材と、前記操作部材と一体となって回転する送りねじ軸と、前記リング部材に設けられ、前記送りねじ軸と螺合するナット部とを有する上記（７）に記載の双眼鏡。
【００２４】
これにより、一対の目当て部材を連動させる送りねじ機構を少ないスペースで設けることができるので、双眼鏡のサイズが大型化するのを防止することができる。また、ルーペ光学系を用いて観察する際、双眼鏡を置いた状態のままでも、操作部材を回転させることによって容易にピント調整を行うことができるので、観察対象物の拡大像を見ながらルーペ光学系のピントを調整しやすい。
【００２５】
（９）  前記ルーペ光学系の物体焦点は、前記目当て部材の端面の可動範囲と概ね同じ位置にある上記（３）ないし（８）のいずれかに記載の双眼鏡。
【００２６】
これにより、ルーペ光学系を用いて観察する際、接眼側を下にして双眼鏡を置いた状態とすることにより、双眼鏡の鏡体がいわゆるルーペの足として機能し、拡大像を安定して観察することができる。
【００２７】
（１０）  前記一対の観察光学系のピントを調整する際に回転操作するピントリングを備え、
前記ピント調整手段は、前記ピントリングの回転運動を前記ルーペ光学系の光軸方向の移動に変換する運動変換機構で構成される上記（１）または（２）に記載の双眼鏡。
【００２８】
これにより、ピントリングを、ルーペ光学系のピント調整を行うための操作部材としても兼用することができるので、別個の操作部材を設けなくて済み、スペースを取らず、また、部品点数が増大するのも防止することができる。
【００２９】
（１１）  前記ピントリングの回転運動を前記一対の観察光学系のピントを調整するための運動に変換する第１の状態と、前記ピントリングの回転運動を前記ルーペ光学系の光軸方向の移動に変換する第２の状態とに切り替える切替機構を備える上記（１０）に記載の双眼鏡。
【００３０】
これにより、観察光学系のピント調整と、ルーペ光学系のピント調整とを独立に行うことができるので、相互のピント調整状態に影響を及ぼすことなく各々のピント調整を行うことができる。
【００３１】
（１２）  前記切替機構は、前記ピントリングに設けられたピントリング側スプライン歯と、前記一対の観察光学系のピントを調整するピント調整機構の一部を構成するとともに前記ピントリングと同心的に回転可能に設置された第１の円筒部材に設けられた第１のスプライン歯と、前記運動変換機構の一部を構成するとともに前記ピントリングと同心的に回転可能に設置された第２の円筒部材に設けられた第２のスプライン歯とで構成され、前記ピントリングを軸方向に移動操作して前記ピントリング側スプライン歯を前記第１のスプライン歯および前記第２のスプライン歯の一方に選択的に噛み合わせることにより、前記第１の状態と前記第２の状態とに切り替えるように構成されている上記（１１）に記載の双眼鏡。
これにより、簡単な構造で切替機構を構成することができる。
【００３２】
（１３）  前記ピントリング側スプライン歯、前記第１のスプライン歯および前記第２のスプライン歯のうちの少なくとも１つに、噛み合わせを切り替える際に相手方の歯を案内する案内面が設けられている上記（１２）に記載の双眼鏡。
これにより、切替機構の切り替え動作をより円滑に行うことができる。
【００３３】
（１４）  前記ルーペ光学系を用いて観察する際、前記一対の観察光学系の対物側を下にして当該双眼鏡を置いて使用可能である上記（１０）ないし（１３）のいずれかに記載の双眼鏡。
【００３４】
これにより、ルーペ光学系を用いて観察する際、対物側を下にして双眼鏡を置いた状態とすることにより、双眼鏡の鏡体がいわゆるルーペの足として機能し、拡大像を安定して観察することができる。
【００３５】
（１５）  前記ピント調整手段は、前記ルーペ光学系の物体焦点の位置を、前記一対の観察光学系の対物側における当該双眼鏡の端面の位置に近い範囲で調整可能である上記（１４）に記載の双眼鏡。
【００３６】
これにより、ルーペ光学系を用いて観察する際、対物側を下にして双眼鏡を置いた状態とすることにより、双眼鏡の鏡体がいわゆるルーペの足として機能するとともに、容易にピント合わせができ、拡大像を安定して観察することができる。
【００３７】
【発明の実施の形態】
以下、本発明の双眼鏡を添付図面に示す好適な実施形態に基づいて詳細に説明する。
【００３８】
＜第１実施形態＞
図１は、本発明の双眼鏡の第１実施形態を示す平面図（上面図）、図２は、図１に示す双眼鏡を対物レンズ側から見た図、図３および図４は、それぞれ、図１に示す双眼鏡を下面側から見た縦断面図、図５は、図３中のＸ−Ｘ線断面図、図６は、図５中のＹ−Ｙ線断面図である。なお、以下では、説明の都合上、図１、図３および図４中の上側を「対物側」、下側を「接眼側」と言う。
【００３９】
図１に示すように、双眼鏡１Ａは、左眼用の観察光学系（望遠光学系）２Ｌが設置されたほぼ円筒形状の鏡体１１Ｌと、右眼用の観察光学系（望遠光学系）２Ｒが設置されたほぼ円筒形状の鏡体１１Ｒと、鏡体１１Ｌおよび１１Ｒを互いに回動可能に連結するブリッジ１３とを備えている。
【００４０】
観察光学系２Ｌ、２Ｒは、それぞれ、対物レンズ系２１Ｌ、２１Ｒと、図示しないプリズム系（正立光学系）と、接眼レンズ系２２Ｌ、２２Ｒとを有している。本実施形態の双眼鏡１Ａは、対物レンズ系２１Ｌ、２１Ｒの光軸と、接眼レンズ系２２Ｌ、２２Ｒの光軸とが一直線上にあるダハプリズム式のものであるが、本発明の双眼鏡はこれに限定されず、対物レンズ系の光軸と接眼レンズ系の光軸とが一直線上にないタイプ（ポロプリズム式）のものにも適用することができる。
【００４１】
図２に示すように、ブリッジ１３は、鏡体１１Ｌ、１１Ｒと平行に配置された中空円筒状の中心軸筒１３１を有するヒンジのような構造になっており、鏡体１１Ｌ、１１Ｒを回動可能に連結している。すなわち、鏡体１１Ｌ、１１Ｒは、中心軸筒１３１を中心として所定範囲で互いに回動可能になっており、また、その範囲では、開き具合を任意の状態で摩擦により保持することができるようになっている。これにより、接眼レンズ系２２Ｌ、２２Ｒの光軸間距離、すなわち眼幅を調整することができる。
【００４２】
なお、本実施形態の双眼鏡１Ａは、上述したように眼幅調整の方式が１軸回転式のものであるが、本発明の双眼鏡における眼幅調整の方式はこれに限定されず、２軸回転式のものや、スライド式のものなどであってもよい。
【００４３】
図３に示すように、中心軸筒１３１の接眼側の端部外周には、観察光学系２Ｌ、２Ｒのピントを調整する際に回転操作するピントリング３が設置されている。双眼鏡１Ａは、図示を省略するが、ピントリング３の回転運動を変換して、観察光学系２Ｌ、２Ｒの一部の構成要素をそれらの光軸Ｏ１、Ｏ２方向に移動させる機構（例えば送りねじ機構やカム機構など）を備えている。これにより、ピントリング３を回転操作することによって、観察光学系２Ｌ、２Ｒのピント調整（合焦）を行うことができるようになっている。
【００４４】
ピントリング３は、中心軸筒１３１に対して回転可能なように、押え環３２で取り付けられている。
【００４５】
図３および図４に示すように、観察光学系２Ｌ、２Ｒの接眼側には、それぞれ、接眼レンズ系２２Ｌ、２２Ｒに対して光軸Ｏ１、Ｏ２方向に変位可能な目当て部材４Ｌ、４Ｒが設置されている。目当て部材４Ｌ、４Ｒは、それぞれ、ほぼ円筒形状をなしており、例えば金属材料等の硬質な材料で構成された目当て環４１Ｌ、４１Ｒと、該目当て環４１Ｌ、４１Ｒの外周面および端面４３Ｌ、４３Ｒを覆うように設置されたゴム製のカバー４２Ｌ、４２Ｒとで構成されている。
【００４６】
このような目当て部材４Ｌ、４Ｒは、鏡体１１Ｌ、１１Ｒの接眼側の端部外周に同心的に設置され、光軸Ｏ１、Ｏ２方向に摺動可能になっている。すなわち、目当て部材４Ｌ、４Ｒは、図３に示す状態と図４に示す状態との間を移動可能になっている。鏡体１１Ｌ、１１Ｒに固定されたねじ１４Ｌ、１４Ｒは、目当て環４１Ｌ、４１Ｒに形成された長孔４１１Ｌ、４１１Ｒに挿入しており、これにより、目当て部材４Ｌ、４Ｒは、抜け止めがなされ、図４に示す状態以上には引き出せないようになっている。
【００４７】
双眼鏡１Ａの使用者は、眼鏡着用の有無や、目の深さの個人差等に応じて目当て部材４Ｌ、４Ｒの位置を調整し、それらの端面４３Ｌ、４３Ｒに目の周囲または眼鏡を当てた状態で覗く。これにより、使用者は、目を光軸Ｏ１、Ｏ２上の正規の位置（全視野が見られる位置）に置くことができる。
【００４８】
本実施形態の双眼鏡１Ａは、上述した一対の目当て部材４Ｌ、４Ｒを連動して光軸Ｏ１、Ｏ２方向に変位させる目当て連動機構５Ａを備えている。
【００４９】
図３に示すように、目当て連動機構５Ａは、中心軸筒１３１の長手方向中間部分の外側に同心的に設けられた円環状のリング部材５１と、該リング部材５１と目当て部材４Ｌ、４Ｒとを連結する連結部材５２Ｌ、５２Ｒとで構成されている。
【００５０】
連結部材５２Ｌ、５２Ｒは、それぞれ、腕部材５２１Ｌ、５２１Ｒと、腕部材５２２Ｌ、５２２Ｒとで構成されている。
【００５１】
腕部材５２１Ｌ、５２１Ｒは、それぞれ、リング部材５１から径方向外方および接眼側に向かって突出するほぼＬ字形状の部材であり、光軸Ｏ１、Ｏ２方向にはリング部材５１に伴って移動する。このうちの一方の腕部材５２１Ｌは、リング部材５１と一体的に形成されている。他方の腕部材５２１Ｒは、リング部材５１と別部材で構成されており、腕部材５２１Ｒの根元部に形成された凸部５２３Ｒがリング部材５１の外周面に周方向に沿って形成されたガイド溝５１１内に挿入している。凸部５２３Ｒは、ガイド溝５１１に沿って移動可能であるので、中心軸筒１３１を中心として鏡体１１Ｌ、１１Ｒを回動させたとき、腕部材５２１Ｌと腕部材５２１Ｒとのなす角度がこれに追従して変化できるようになっている（図５参照）。
【００５２】
図３に示すように、腕部材５２２Ｌ、５２２Ｒは、それぞれ、目当て環４１Ｌ、４１Ｒから対物側に向かって突出形成されている。この腕部材５２２Ｌ、５２２Ｒと腕部材５２１Ｌ、５２１Ｒとの先端部同士は、フック係合（凹凸係合）５２４Ｌ、５２４Ｒにより連結されている。以上説明したような構成により、目当て部材４Ｌ、４Ｒは、目当て連動機構５Ａを介して互いに連結されている。
【００５３】
なお、双眼鏡１Ａの完成状態では、図５に示すように、連結部材５２Ｌ、５２Ｒを覆う蓋部材１６Ｌ、１６Ｒが装着され、腕部材５２１Ｌ、５２１Ｒおよびフック係合５２４Ｌ、５２４Ｒが外れることのないようにされる。図４に示すように、蓋部材１６Ｒには、フック１６２と孔１６１とが形成されており、フック１６２は、ブリッジ１３に設けられたフック１３６と係合し、また、ブリッジ１３に設けられたねじ孔１３２に孔１６１を重ねてねじ止めすることにより、蓋部材１６Ｒが固定される。図４中では省略するが、蓋部材１６Ｒと対称形状の蓋部材１６Ｌが鏡体１１Ｌ側に同様に装着される。
【００５４】
リング部材５１は、中心軸筒１３１の軸方向に所定範囲で移動（摺動）可能になっている。リング部材５１の図５中で上側の部分は、ブリッジ１３の上面側に形成された開口部１３３から外部に露出しており、この露出した部分の外周面には、滑り止め手段としてのローレット５１２が形成されている（図１参照）。双眼鏡１Ａの使用者は、このローレット５１２に指を当てて、リング部材５１を軸方向に容易にスライドさせることができる。リング部材５１をスライドさせると、目当て部材４Ｌ、４Ｒが共に光軸Ｏ１、Ｏ２方向に変位する。
【００５５】
双眼鏡１Ａでは、このような目当て連動機構５Ａを設けたことにより、目当て部材４Ｌ、４Ｒの位置を調整する際、左右を別々に調整する必要がなく、一度に両方の調整を行うことができるので、便利である。また、一対の目当て部材４Ｌ、４Ｒの位置が揃った状態が常に維持されるので、両方の位置をきっちりと揃える煩わしさがない。このようなことから、双眼鏡１Ａでは、目当て部材４Ｌ、４Ｒの位置調整を容易かつ迅速に行うことができる。
【００５６】
図５に示すように、本実施形態の双眼鏡１Ａは、目当て部材４Ｌ、４Ｒの移動に対するクリックストップ機構６を備えている。図６に示すように、クリックストップ機構６は、ブリッジ１３の内部に設置されたクリックボール６１と、リング部材５１の外周面に形成され、クリックボール６１の一部が挿入し得る複数の凹部６３と、クリックボール６１を凹部６３に向かって押圧するバネ６２とで構成されている。複数の凹部６３は、リング部材５１の軸方向に沿って配置されており、リング部材５１の位置に応じ、いずれかの凹部６３内にクリックボール６１が挿入する。そして、凹部６３内にクリックボール６１が挿入した状態では、バネ６２の付勢力によって、リング部材５１の位置が保持される。
【００５７】
このようなクリックストップ機構６を設けたことにより、リング部材５１をスライドさせて目当て部材４Ｌ、４Ｒの位置調整を行う際、クリック感（節度感）が得られるので、調整操作がし易く、希望の位置に容易に位置決めすることができる。
【００５８】
さて、このような双眼鏡１Ａは、図３および図４に示すように、観察光学系２Ｌ、２Ｒの間に設けられた近距離観察用のルーペ光学系７を備えている。これにより、双眼鏡１Ａは、手元（近距離）にある観察対象物１００（例えば、昆虫、草花、切手等）を拡大視するルーペとしても用いることができる。このような双眼鏡１Ａによれば、ルーペを別個に携帯する必要がないので便利であり、例えば野外観察などをする際に特に有用である。
【００５９】
ルーペ光学系７の光軸Ｏ３方向は、観察光学系２Ｌ、２Ｒの光軸Ｏ１、Ｏ２方向と平行になっている。なお、図示の構成では、ルーペ光学系７は、１枚の両凸レンズで構成されているが、これに限らず、複数の光学部品から構成されていてもよい。
【００６０】
図示の構成では、ルーペ光学系７は、中心軸筒１３１の対物側の端部付近に同心的に固定されており、中心軸筒１３１の内腔がルーペ光学系７の光路となる。また、ルーペ光学系７の物体焦点Ｆは、目当て部材４Ｌ、４Ｒの端面４３Ｌ、４３Ｒの可動範囲と概ね同じ位置にある（図４参照）。
【００６１】
図４に示すように、ルーペ光学系７を使用する場合には、観察対象物１００が置かれた平面２００（机、床、地面等）上に、目当て部材４Ｌ、４Ｒを下にした姿勢で双眼鏡１Ａを置いた状態で、上から覗くようにして用いることができる。このように、双眼鏡１Ａをルーペとして用いる場合、鏡体１１Ｌ、１１Ｒがいわゆるルーペの足として機能するので、観察者は、拡大像を安定して観察することができる。
【００６２】
本発明の双眼鏡１Ａでは、ルーペ光学系７を、観察光学系２Ｌ、２Ｒの間に、かつ独立して設けたことにより、双眼鏡１Ａのサイズの大型化を招来することなくルーペ機能を付加することができる。なお、ここでいう独立とは、ルーペ光学系７と観察光学系２Ｌ、２Ｒとが光学部品を共用していないことを言う。
【００６３】
特に、本実施形態では、ルーペ光学系７をピントリング３と同心的に配置したことにより、さらに省スペースでルーペ光学系７を配置することができ、全体のサイズを通常の双眼鏡に遜色なく小型化することができる。
【００６４】
また、双眼鏡１Ａでは、目当て部材４Ｌ、４Ｒが、ルーペ光学系７のピントを調整するピント調整手段として機能する。すなわち、ルーペ光学系７を用いて観察する際、目当て部材４Ｌ、４Ｒの位置を調整することにより、ルーペ光学系７の高さが調整されるので、ルーペ光学系７のピントを調整することができる。このピント調整機能を利用すると、観察対象物１００の厚さに応じて、その表面にルーペ光学系７の焦点Ｆが合うように調整することができる（図４参照）。
【００６５】
これにより、双眼鏡１Ａでは、ルーペ光学系７を用いて観察する際、ピントを合わせるために双眼鏡１Ａを把持して持ち上げた状態で観察対象物１００との距離を調節しながら観察しなければならないようなことがなく、観察対象物１００の厚さにかかわらず、双眼鏡１Ａを置いた状態でピントの合った鮮明な拡大像を観察することができる。
【００６６】
＜第２実施形態＞
図７は、本発明の双眼鏡の第２実施形態を示す平面図（上面図）、図８および図９は、それぞれ、図７に示す双眼鏡を下面側から見た縦断面図、図１０は、図８中のＺ−Ｚ線断面図である。
【００６７】
以下、これらの図を参照して本発明の双眼鏡の第２実施形態について説明するが、前述した実施形態との相違点を中心に説明し、同様の事項はその説明を省略する。
【００６８】
本実施形態の双眼鏡１Ｂは、目当て連動機構５Ｂの構成が異なること以外は前記第１実施形態と同様である。
【００６９】
図８に示すように、本実施形態における目当て連動機構５Ｂは、中心軸筒１３１の長手方向中間部分の外側に同心的に設けられた円環状のリング部材５３と、該リング部材５３と目当て部材４Ｌ、４Ｒとを連結する連結部材５２Ｌ、５２Ｒと、リング部材５３を軸方向に移動させる送りねじ機構５４とで構成されている。
【００７０】
連結部材５２Ｌ、５２Ｒは、それぞれ、前記第１実施形態とほぼ同様に、腕部材５２１Ｌ、５２１Ｒと、腕部材５２２Ｌ、５２２Ｒとで構成されており、一方の腕部材５２１Ｌは、リング部材５３と一体的に形成され、他方の腕部材５２１Ｒは、リング部材５３と別部材で構成されている。リング部材５３の外周面には、周方向に沿ってガイド溝５３１が形成され、このガイド溝５３１内に、腕部材５２１Ｒの対物側の端部に形成された凸部５２５が挿入している。凸部５２５は、ガイド溝５３１に沿って移動可能であるので、腕部材５２１Ｒは、リング部材５３の周方向に沿って所定範囲で移動可能になっている。これにより、中心軸筒１３１を中心として鏡体１１Ｌ、１１Ｒを回動させたとき、腕部材５２１Ｌと腕部材５２１Ｒとのなす角度がこれに追従して変化できるようになっている（図１０参照）。
【００７１】
送りねじ機構５４は、リング部材５３と同心的にかつ回転可能に設置された円環状（円筒状）の操作部材５４１と、該操作部材５４１と一体となって回転する送りねじ軸５４２と、リング部材５３に設けられ、送りねじ軸５４２と螺合するナット部５４３とで構成されている。
【００７２】
操作部材５４１は、中心軸筒１３１の長手方向中間部分の外周で回転可能に設置されている。図７に示すように、操作部材５４１の外周面の一部は、ブリッジ１３の上面側に形成された開口部１３３から外部に露出しており、この露出部分を指で触って回転操作することができる。
【００７３】
送りねじ軸５４２は、中空円筒状をなし、その外周面には雄ねじが形成されている。この送りねじ軸５４２は、中心軸筒１３１の外側であって操作部材５４１の内側に位置し、操作部材５４１と一体的に形成されている。
【００７４】
ナット部５４３は、リング部材５３の内周面に形成された雌ねじで構成されている。
【００７５】
このような目当て連動機構５Ｂでは、使用者が操作部材５４１を回転させると、送りねじ機構５４が作動して、リング部材５３が軸方向に移動し、これに伴って、目当て部材４Ｌ、４Ｒが共に光軸Ｏ１、Ｏ２方向に変位する。図８は、目当て部材４Ｌ、４Ｒが最も引っ込んだ状態であり、この状態では、リング部材５３は、そのほぼ全体が操作部材５４１の内側に挿入している。図９は、目当て部材４Ｌ、４Ｒが最も引き出された状態であり、この状態では、リング部材５３は、そのほぼ全体が操作部材５４１内から接眼側に繰り出されている。
【００７６】
本実施形態の双眼鏡１Ｂでは、上述したような目当て連動機構５Ｂを備えることにより、目当て部材４Ｌ、４Ｒの位置調整を第１実施形態と比べてより精密に、かつ軽い操作力で行うことができる。よって、ルーペ光学系７を用いて観察する際、ルーペ光学系７のピント調整をより正確かつ容易に行うことができる。
【００７７】
また、ルーペ光学系７を用いて観察する際、双眼鏡１Ｂを置いた状態のままでも、操作部材５４１を容易に回転させることができるので、観察対象物１００の拡大像を見ながらルーペ光学系７のピント調整がしやすいので、便利である。
【００７８】
＜第３実施形態＞
図１１および図１２は、それぞれ、本発明の双眼鏡の第３実施形態を示す部分断面平面図（上面図）、図１３は、図１１に示す双眼鏡を接眼レンズ側から見た図、図１４は、図１１に示す双眼鏡における中心軸筒、カム筒および進退筒を示す側面図、図１５は、カム筒に設けられた第２のスプライン歯を拡大して示す側面図である。なお、以下では、説明の都合上、図１１、図１２中の上側を「接眼側」、下側を「対物側」と言う。
【００７９】
以下、これらの図を参照して本発明の双眼鏡の第３実施形態について説明するが、前述した実施形態との相違点を中心に説明し、同様の事項はその説明を省略する。
【００８０】
図１１および図１２に示すように、本実施形態の双眼鏡１Ｃは、ルーペ光学系７が接眼側に設置されており、ルーペ光学系７を用いて観察する際には、対物レンズ２１Ｌ、２１Ｒ側を下にして双眼鏡１Ｃを置いて使用するものである。
【００８１】
双眼鏡１Ｃは、ルーペ光学系７のピント調整手段として、ピントリング３の回転運動をルーペ光学系７の光軸Ｏ３方向の移動に変換する円筒カム機構（運動変換機構）８を有している。
【００８２】
円筒カム機構８は、中心軸筒１３１の内側に同心的にかつ回転可能に挿入された円筒状のカム筒（第２の円筒部材）８１と、該カム筒８１の内側に同心的に挿入された円筒状の進退筒８２と、進退筒８２に固定され径方向外方に突出するフォロアピン８３とを有している。進退筒８２の接眼側の端部付近には、ルーペ光学系７が固定的に設置されており、進退筒８２の内腔は、ルーペ光学系７の光路となる。
【００８３】
図１４に示すように、カム筒８１の周壁には、軸方向に対し傾斜した（螺旋状の）カム溝８１１が形成されている。また、中心軸筒１３１は、その周壁に軸方向に沿って形成された直進案内溝１３４を有しており、直進案内環としての機能も有している。フォロアピン８３は、カム溝８１１および直進案内溝１３４内に挿入している。
【００８４】
このような円筒カム機構８では、カム筒８１が中心軸筒１３１に対し回転すると、フォロアピン８３がカム溝８１１および直進案内溝１３４内を移動することにより、進退筒８２が軸方向に進退して、ルーペ光学系７が双眼鏡１Ｃの本体に対し光軸Ｏ３方向に移動する（図１１および図１２参照）。これにより、ルーペ光学系７を用いて観察する際、観察対象物１００に対するルーペ光学系７の高さを調整して、ピント合わせを行うことができる。このようにして、本実施形態では、ルーペ光学系７の物体焦点Ｆの位置を、双眼鏡１Ｃ（鏡筒１１Ｌ、１１Ｒ）の対物側の端面１１１Ｌ、１１１Ｒの位置に近い範囲で調整可能になっている。
【００８５】
本実施形態では、ピントリング３の回転運動をルーペ光学系７の光軸Ｏ３方向の移動に変換する運動変換機構として、上記のような円筒カム機構８としているので、簡単な構造で運動変換機構を構成することができるとともに、カム溝８１１が設けられたカム筒８１の内腔をルーペ光学系７の光路とすることができ、合理的な構造とすることができる。
【００８６】
図示の構成では、ルーペ光学系７が最も引き込まれた状態（図１１に示す状態）で、ルーペ光学系７は、カム筒８１の接眼側の端部よりも内側まで引き込まれ、奥まった位置になる。ルーペ光学系７を使用しないときには、この状態とすることにより、ルーペ光学系７に指などが触れにくいので、ルーペ光学系７の表面に指紋を付けたりして汚してしまうのを防止することができる。
【００８７】
また、ルーペ光学系７が最も引き出された状態（図１２に示す状態）で、ルーペ光学系７は、接眼レンズ系２２Ｌ、２２Ｒを超えて接眼側に突出する。これにより、ルーペ光学系７の使用時には、観察像をより覗きやすくすることができる。
【００８８】
次に、双眼鏡１Ｃにおける観察光学系２Ｌ、２Ｒのピント調整機構１７について説明する。ピント調整機構１７は、中心軸筒１３１の接眼側の端部外周に同心的にかつ回転可能に設置された円筒状の送りねじ環（第１の円筒部材）１７１と、該送りねじ環１７１の外周面に形成された雄ねじに螺合する雌ねじを有するナット部材１７２と、ナット部材１７２から対物側に向かって延設された腕部材１７３Ｌ、１７３Ｒとを有している。腕部材１７３Ｌ、１７３Ｒは、観察光学系２Ｌ、２Ｒの一部の構成要素に連結されている。送りねじ環１７１が回転すると、ナット部材１７２および腕部材１７３Ｌ、１７３Ｒが光軸Ｏ１、Ｏ２方向に移動して、観察光学系２Ｌ、２Ｒのピント調整が行われる。
【００８９】
このような双眼鏡１Ｃは、ピントリング３の回転運動を観察光学系２Ｌ、２Ｒのピントを調整するための運動（すなわちピント調整機構１７の作動）に変換する第１の状態と、ピントリング３の回転運動をルーペ光学系７の光軸Ｏ３方向の移動に変換する第２の状態とに切り替える切替機構１５をさらに備えている。
【００９０】
図１１および図１３に示すように、切替機構１５は、ピントリング３の内周部に設けられたピントリング側スプライン歯１５１と、送りねじ環１７１の接眼側の端部外周に設けられた第１のスプライン歯１５２と、カム筒８１の接眼側の端部外周に設けられた第２のスプライン歯１５３とで構成されている。
【００９１】
第１のスプライン歯１５２および第２のスプライン歯１５３は、互いに隣接して位置しており、ピントリング３が軸方向に微小距離移動することにより、ピントリング側スプライン歯１５１は、第１のスプライン歯１５２および第２のスプライン歯１５３のいずれかと選択的に噛み合い可能になっている。
【００９２】
図１１に示す状態では、ピントリング側スプライン歯１５１と第１のスプライン歯１５２とが噛み合った第１の状態になっている。この第１の状態では、使用者がピントリング３を回転させると、送りねじ環１７１がこれに伴って回転し、カム筒８１は回転しないので、観察光学系２Ｌ、２Ｒのピントが調整される。すなわち、双眼鏡１Ｃを双眼鏡として使用する場合には、この状態とする。
【００９３】
図１１に示す状態から使用者がピントリング３を軸方向に微小距離引き出すと、図１２に示すように、ピントリング側スプライン歯１５１と第２のスプライン歯１５３とが噛み合った第２の状態に切り替わる。この第２の状態では、使用者がピントリング３を回転させると、カム筒８１がこれに伴って回転し、送りねじ環１７１は回転しないので、ルーペ光学系７が光軸Ｏ３方向に移動する。すなわち、双眼鏡１Ｃをルーペとして使用する場合には、この状態とする。
【００９４】
図１５に示すように、第２のスプライン歯１５３のうちの少なくとも１つに、噛み合わせを切り替える際に相手方の歯となるピントリング側スプライン歯１５１を案内する案内面１５４が設けられている。これにより、切替機構１５の切り替え動作をより円滑に行うことができる。なお、ピントリング側スプライン歯１５１や第１のスプライン歯１５２にも同様の案内面が設けられていてもよい。
【００９５】
＜第４実施形態＞
図１６は、本発明の双眼鏡の第４実施形態におけるピントリング付近を示す縦断面である。以下、この図を参照して本発明の双眼鏡の第４実施形態について説明するが、前述した実施形態との相違点を中心に説明し、同様の事項はその説明を省略する。なお、図１６においては、左側が対物側、右側が接眼側である。
【００９６】
本実施形態では、中心軸筒１３１の接眼側の端部付近に雄ねじ１３５が形成されている。ピントリング３の内周部には、雄ねじ１３５に螺合する雌ねじ３１が形成されており、雄ねじ１３５および雌ねじ３１の螺合により、ピントリング３が中心軸筒１３１の接眼側の端部に装着されている。
【００９７】
ピントリング３には、双眼鏡ピント合わせ用羽根１８が連結されている。ピントリング３は、双眼鏡ピント合わせ用羽根１８に対し、自由に回転可能になっている。ピントリング３を回転させると、双眼鏡ピント合わせ用羽根１８に連結された観察光学系２Ｌ、２Ｒの一部の構成要素が光軸Ｏ１、Ｏ２方向に移動して、観察光学系２Ｌ、２Ｒのピント調整が行われる。
【００９８】
ピントリング３には、ルーペ光学系７が同心的に固定されており、中心軸筒１３１の内腔は、ルーペ光学系７の光路となる。
【００９９】
このような本実施形態の双眼鏡は、前記第３実施形態と同様に、ルーペ光学系７が接眼側に設置されており、ルーペ光学系７を用いて観察する際には、対物レンズ２１Ｌ、２１Ｒ側を下にして双眼鏡を置いて使用することができる。そして、ルーペ光学系７を用いて観察する際、ピントリング３を回転させると、ルーペ光学系７がピントリング３とともに光軸Ｏ３方向に移動するので、ルーペ光学系７と観察対象物１００との距離が変わり、ルーペ光学系７のピント調整を行うことができる。このように、本実施形態では、ルーペ光学系７のピント調整手段は、ピントリング３の回転運動をルーペ光学系７の光軸Ｏ３方向の移動に変換する送りねじ機構で構成されている。これにより、簡単な構造で運動変換機構を構成することができるとともに、中空の送りねじ軸の内腔をルーペ光学系７の光路とすることができ、合理的な構造とすることができる。
【０１００】
以上、本発明の双眼鏡を図示の実施形態について説明したが、本発明は、これに限定されるものではなく、双眼鏡を構成する各部は、同様の機能を発揮し得る任意の構成のものと置換することができる。また、任意の構成物が付加されていてもよい。
【０１０１】
【発明の効果】
以上述べたように、本発明によれば、双眼鏡にルーペ光学系を設けたことにより、手元にある観察対象物を拡大視するルーペとしても使用することができる。よって、例えば野外観察などを行う際に別個にルーペを携帯する必要がなく、便利である。
【０１０２】
また、ルーペ光学系のピント調整手段を設けたことにより、観察対象物の厚さによらず、ピントの合った拡大像を観察することができる。
【０１０３】
さらに、ルーペ光学系を一対の観察光学系の間に配置したことにより、双眼鏡のサイズの大型化を招来することなく上記効果を達成することができる。
【図面の簡単な説明】
【図１】本発明の双眼鏡の第１実施形態を示す平面図（上面図）である。
【図２】図１に示す双眼鏡を対物レンズ側から見た図である。
【図３】図１に示す双眼鏡を下面側から見た縦断面図である。
【図４】図１に示す双眼鏡を下面側から見た縦断面図である。
【図５】図３中のＸ−Ｘ線断面図である。
【図６】図５中のＹ−Ｙ線断面図である。
【図７】本発明の双眼鏡の第２実施形態を示す平面図（上面図）である。
【図８】図７に示す双眼鏡を下面側から見た縦断面図である。
【図９】図７に示す双眼鏡を下面側から見た縦断面図である。
【図１０】図８中のＺ−Ｚ線断面図である。
【図１１】本発明の双眼鏡の第３実施形態を示す部分断面平面図（上面図）である。
【図１２】本発明の双眼鏡の第３実施形態を示す部分断面平面図（上面図）である。
【図１３】図１１に示す双眼鏡を接眼レンズ側から見た図である。
【図１４】図１１に示す双眼鏡における中心軸筒、カム筒および進退筒を示す側面図である。
【図１５】カム筒に設けられた第２のスプライン歯を拡大して示す側面図である。
【図１６】本発明の双眼鏡の第４実施形態におけるピントリング付近を示す縦断面である。
【符号の説明】
１Ａ、１Ｂ、１Ｃ  双眼鏡
１１Ｌ、１１Ｒ  鏡体
１１１Ｌ、１１１Ｒ  端面
１３          ブリッジ
１３１        中心軸筒
１３２        ねじ孔
１３３        開口部
１３４        直進案内溝
１３５        雄ねじ
１４Ｌ、１４Ｒ  ねじ
１５          切替機構
１５１        ピントリング側スプライン歯
１５２        第１のスプライン歯
１５３        第２のスプライン歯
１５４        案内面
１６Ｌ、１６Ｒ  蓋部材
１６１        孔
１７          ピント調整機構
１７１        送りねじ環
１７２        ナット部材
１７３Ｌ、１７３Ｒ  腕部材
１８          双眼鏡ピント合わせ用羽根
２Ｌ、２Ｒ    観察光学系
２１Ｌ、２１Ｒ  対物レンズ系
２２Ｌ、２２Ｒ  接眼レンズ系
３            ピントリング
３１          雌ねじ
４Ｌ、４Ｒ    目当て部材
４１Ｌ、４１Ｒ  目当て環
４１１Ｌ、４１１Ｒ  長孔
４２Ｌ、４２Ｒ  カバー
４３Ｌ、４３Ｒ  端面
５Ａ、５Ｂ    目当て連動機構
５１          リング部材
５１１        ガイド溝
５２Ｌ、５２Ｒ  連結部材
５２１Ｌ、５２１Ｒ、５２２Ｌ、５２２Ｒ  腕部材
５２３Ｒ        凸部
５２４Ｌ、５２４Ｒ  フック係合
５２５        凸部
５３          リング部材
５３１        ガイド溝
５４          送りねじ機構
５４１        操作部材
５４２        送りねじ軸
５４３        ナット部
６            クリックストップ機構
６１          クリックボール
６２          バネ
６３          凹部
７            ルーペ光学系
８            円筒カム機構
８１          カム筒
８１１        カム溝
８２          進退筒
８３          フォロアピン
１００        観察対象物
２００        平面
Ｆ            物体焦点
Ｏ１、Ｏ２、Ｏ３  光軸
【図１】
2005017760.tif 000003
【図２】
2005017760.tif 000004
【図３】
2005017760.tif 000005
【図４】
2005017760.tif 000006
【図５】
2005017760.tif 000007
【図６】
2005017760.tif 000008
【図７】
2005017760.tif 000009
【図８】
2005017760.tif 000010
【図９】
2005017760.tif 000011
【図１０】
2005017760.tif 000012
【図１１】
2005017760.tif 000013
【図１２】
2005017760.tif 000014
【図１３】
2005017760.tif 000015
【図１４】
2005017760.tif 000016
【図１５】
2005017760.tif 000017
【図１６】
2005017760.tif 000018